(57)【要約】【課題】  普段のトレーニングや生活では鍛えられない指や、指の付け根部分、およびその周辺の筋肉を鍛えることで、それぞれの指及び指の付け根周辺の関節、腱、靭帯を強化し、スポーツ時における突き指、骨折等のスポーツで突発的に起こる外傷、障害などを予防する。【解決手段】  グリップ１に手の平を最大限に開いた角度で、指挿入孔２−２′３−３′４−４′５−５′を貫通形成し、グリップの両端に６、７のおもりを固定させる。【選択図】図１
2008055138.tif 000002
【特許請求の範囲】
【請求項１】
グリップと、前記グリップにおもり部を備えたダンベル型トレーニング器具にあって、手の平を扇状に最大限に開いた状態で挿入できる指挿入孔を、前記グリップに少なくとも２つ以上貫通形成し、前記グリップの一方側の前記指挿入孔の孔と孔の間隔と、前記グリップの他方側の前記孔と前記孔の間隔は、異なることを特徴とするトレーニング器具。
【請求項２】
前記グリップは任意の形状に形成することができ、また、前記指挿入孔の並びは直線状、山状、谷状、サークル状などグリップの形状に合わせて、任意の位置、大きさに形成することができる請求項１に記載のトレーニング器具。
【請求項３】
前記グリップに形成する前記指挿入孔は、孔が自在に広がるように、前記指挿入孔の周の端部に少なくとも１つ以上の切り込みを入れ、さらに、指先でグリップを掴まえるための複数の凹凸を前記指挿入孔の内壁に形成することを特徴とする請求項１、請求項２に記載のトレーニング器具。
【発明の詳細な説明】
【技術分野】
【０００１】  本発明は、手指及び指の付け根周辺等を鍛える器具に関するものである。
【背景技術】
【０００２】  握力強化や筋力強化、身体機能回復には、両端におもりがついた棒状のダンベルや、弾性部材を使用した握り部に指が円滑に挿入できる健康器具が利用されており、握る、ねじる、屈伸する、指を開くなどの運動が行われてきた（例えば参考文献１、２参照）。
【特許文献１】  特開平９−２３９０６６公報
【特許文献２】  特開２０００−６０９０９公報
【発明の開示】
【発明が解決しようとする課題】
【０００３】  しかし、前記特許文献１に記載の器具によれば、器具本体を握ってねじるなどの訓練により機能回復を促す効果は見込まれるが、指や指の付け根周辺を部分的に鍛えることまで考慮されたものではなかった。また、特許文献２に記載の器具によれば、指を訓練する補助具であり、指の機能回復に重点を置き、スポーツ等のトレーニング器具としての役割は果たし得ないものであった。【０００４】  本発明は、上記の機能回復を目的としたトレーニング器具とは別の目的のもとに、おもりがついたグリップに手指を最大限に開いた状態の扇状に指を挿入する孔を貫通形成し、その孔を掴み、ねじる、屈伸するなどの運動を行うことで、指の関節、及び指周辺の筋肉、腱等の強化を行い、スポーツ等で突発的に起こる指の骨折、突き指などの外傷、障害などを予防することを目的とする。
【課題を解決するための手段】
【０００５】  請求項１に記載の本発明は、グリップと、前記グリップにおもり部を備えたダンベル型トレーニング器具にあって、手の平を扇状に最大限に開いた状態で挿入できる指挿入孔を、前記グリップに少なくとも２つ以上貫通形成し、前記グリップの一方側の前記指挿入孔の孔と孔の間隔と、前記グリップの他方側の前記孔と前記孔の間隔は、異なることを特徴とする。【０００６】  請求項２に記載の本発明は、請求項１に記載のトレーニング器具において、前記グリップは任意の形状に形成することができ、また、前記指挿入孔の並びは直線状、山状、谷状、サークル状などグリップの形状に合わせて、任意の位置、大きさに形成するを特徴とする。【０００７】  請求項３に記載の本発明は、請求項１、請求項２に記載のトレーニング器具において、前記グリップに形成する前記指挿入孔は、孔が自在に広がるように、前記指挿入孔の周の端部に少なくとも１つ以上の切り込みを入れ、さらに、指先でグリップを掴まえるための複数の凹凸を前記指挿入孔の内壁に形成することを特徴とする。【０００８】  上記第１ないし第３の課題解決手段による作用は次の通りである。本発明のトレーニング器具の指挿入孔の形状は、グリップに対して扇状の角度で貫通形成されているため、グリップの一方側の孔には指の付け根まで入れるのは難しく、指先だけで孔を掴むような格好になる。指先だけで孔を掴もうとすると、独立した指１本１本と手の平が最大限に広げられ、グリップの両端におもりがあることで、さらにおもりを支えようと独立した１本１本の指がグリップに形成された指挿入孔を強くつかもうとする。各指が各孔を強く掴んだ状態は、各指の付け根と付け根の間が最大限に広げられるが、指先は逆に孔を掴もうとするために、さらに指の付け根が広げられる。指の付け根が最大限に開いた状態でグリップの孔を掴み、指の屈伸、持ち上げ運動等を繰り返すことで、指先、指、手の甲、手首、腕などに最大限に負荷がかかり、普段鍛えることのできない指先及び指の第１関節である遠位指節間関節、第２関節である近位指節間関節はもちろん、指の付け根部及び手根中手関節や周辺の筋力、また、通常では鍛えることのできない薬指の強化をすることができる。指の付け根の筋肉を鍛えることで、数段に握力が強化され、さらに、手首、腕の関節、肩の関節まで鍛えることができる。【０００９】  また、グリップの他方側の指挿入孔から指を入れると、前記とは逆の扇状に指挿入孔が形成されるために、それぞれの指挿入孔に容易に指の付け根まで挿入することができる。付け根まで指が入ることにより、最大限に手の平と指を広げることができ、指挿入孔を利用した手の屈伸、握持しながらのトレーニングによって、普段鍛えることのできない指、指の側面、指の付け根、指の関節に負荷をかけた訓練ができる。また、角度のついた指挿入孔に指を挿入することにより、指の側面に刺激を与え、指先の血流を促進することにより、身体全体の血流の改善を促し、脳を活性化させ老化と生活習慣病の予防にもつながる。
【発明の効果】
【００１０】  本発明は、手の平を最大限に開いた状態で使用するトレーニング器具であり、普段のトレーニングや生活では鍛えられない指や、指の付け根部分、およびその周辺の筋肉を鍛えることで、それぞれの指及び手の平、手指の関節、腱等の強化を行い、スポーツ時における突き指、骨折等のスポーツで突発的に起こる指の骨折、突き指などの外傷、障害などを予防することができる。さらに、パソコンのキーボード等の使用による指の関節の痛み、変形など職業病を抱える職業人、加齢により指の関節と関節の間が萎縮し始めた老人等の指の関節を柔軟にし、関節の可動域を維持或いは拡張するための指の関節及びその周辺の訓練及び障害の予防のためのトレーニング器具を提供するものである。【００１１】  また、本発明の効果は、手指を鍛えることで、たとえば、野球の投手のように投球による疲労時の指や手首の脱力、握力の低下を軽減させる効果も期待でき、そのことにより長時間の運動を持続可能にすることもできる。スポーツに必要な手指の伸展時の可動域の拡大、握力・筋力の強化はもちろん、ピアニスト、ギタリストなど大きな指の可動域を必要とする職業人たちの手指を鍛えることで、技術のレベルの向上にもつながり、スポーツ、芸術等多方面に活用が可能となるトレーニング器具を提供することができる。
【発明を実施するための最良の形態】
【００１２】  以下に、この発明に係るトレーニング器具の各実施の最良の形態を図１ないし図７に沿って説明する。以下の各実施の形態は、本発明を指の関節およびその周辺を強化するためのトレーニング器具として例を説明するが、本発明は、任意のトレーニング用具としても適用可能であり、その訓練の仕方は限定されるものではない。【００１３】  図１は、本発明のトレーニング器具の実施の形態の一例を、斜視図で表したものであり、グリップ１に貫通形成するグリップの一方側の指挿入孔２、３、４、５の径は、グリップの他方側の指挿入孔２′、３′、４′、５′より小さくテーパー状に貫通させることもできる。また、卵形断面８は、グリップは任意の形状で形成することができる一例として図に表したものである。【００１４】  図２は、本発明の一例として上面図と右側面図を表したものである。グリップ１に形成する指挿入孔は、グリップの一方側の指挿入孔２、３、４、５の孔と孔の間隔と、グリップの他方側の指挿入孔２′、３′、４′、５′の孔と孔の間隔とは異なり、指を最大限に開かなければ孔に指が入らないように孔の位置と形状で構成される。また、右側面図は指挿入孔を横からみたものである。【００１５】  図３は、本発明の正面図と右側面図を表したものである。２−２′、３−３′、４−４′、５−５′の指挿入孔は、一方側と他方側では、孔と孔の間隔が異なる。【００１６】  図４は、本発明の低面図と低面からみた右側面図である。図３とは逆に形成した２′−２、３′−３、４′−４、５′−５の指挿入孔は、２′、３′、４′、５′の孔の間隔は狭くなっているが、２、３、４、５の孔の間隔は広くなっており、形状は指先を上に向けて手指を最大限に開いた扇状になっている。【００１７】  図５は、使用例を表した上面図である。【００１８】  図６は、グリップの一方側から指を入れた使用例を表した断面図である。【００１９】  図７は、グリップの他方側から指を入れた状態の上面断面図である。
【図面の簡単な説明】
【００２０】
【図１】  本発明の第１の実施の形態のトレーニング器具の構成を示す斜視図である。
【図２】  本発明の上面図及び右側面図である。
【図３】  本発明の正面図及び右側面図である。
【図４】  本発明の底面図及び右側面図である。
【図５】  本発明の使用例の上面図である。
【図６】  本発明の使用例の断面図。
【図７】  本発明の使用例の上面断面図である。
【符号の説明】
【００２１】１        グリップ
２、２′  指挿入孔
３、３′  指挿入孔
４、４′  指挿入孔
５、５′  指挿入孔
６、７    おもり部
８        グリップの断面の一例
９        手
１０      第５指
１１      第４指
１２      第３指
１３      第２指
【図１】
2008055138.tif 000003
【図２】
2008055138.tif 000004
【図３】
2008055138.tif 000005
【図４】
2008055138.tif 000006
【図５】
2008055138.tif 000007
【図６】
2008055138.tif 000008
【図７】
2008055138.tif 000009